(57)【要約】【課題】消費者が、買物をしながらも、その日の目玉商品，レシピ，広告等を常に見ることができて、買物をスムーズに行うことができる買物カートを提供することを目的とする。【解決手段】買物カゴを搭載するカゴラックＲと、該カゴラックＲとハンドル３とが付設される主フレーム１０とを、有し、ハンドル３のグリップ部２に対して前下方位置の横杆８に、レシピ等の用紙が出し入れ自在に収納される透明ケース４を付設する。また、透明ケース４の上面が包囲状であり、ネスティング状態で、透明ケース４が、隣り合うカゴラックＲと主フレーム１０と横杆８のどの部位とも干渉しない位置に付設される。【選択図】  図１
2004230961.tif 000002
【特許請求の範囲】
【請求項１】
買物カゴを搭載するカゴラック（Ｒ）と、該カゴラック（Ｒ）とハンドル（３）とが付設される主フレーム（１０）とを、有し、
上記ハンドル（３）のグリップ部（２）に対して前下方位置に、レシピ等の用紙（１３）が出し入れ自在に収納される透明ケース（４）を付設したことを特徴とする買物カート。
【請求項２】
透明ケース（４）の上面が包囲状である請求項１記載の買物カート。
【請求項３】
ネスティング状態で、透明ケース（４）が、隣り合うカゴラック（Ｒ）と主フレーム（１０）と横杆（８）のどの部位とも干渉しない位置に付設された請求項１又は２記載の買物カート。
【請求項４】
買物カゴを搭載するカゴラック（Ｒ）と、該カゴラック（Ｒ）とハンドル（３）とが付設される主フレーム（１０）とを、有し、
上記ハンドル（３）のグリップ部（２）に対して前下方位置に、レシピ等の用紙（１３）を貼着した板片を付設したことを特徴とする買物カート。
【発明の詳細な説明】
【０００１】
【発明の属する技術分野】
本発明は、買物カートに関する。
【０００２】
【従来の技術】
従来の買物カートは、上方と下方に買物カゴを搭載するラックを有し、子供用座席も形成されているものが知られている（例えば、特許文献１参照）。
【０００３】
【特許文献１】
特開平９−２４０４７６号公報
【０００４】
【発明が解決しようとする課題】
従来の買物カートは、上下に買物カゴを搭載してショッピングをすることができるが、使用者が、売り場を歩き回りながら、目玉商品，レシピ，広告等を常時目にする技術が設けられていない。
【０００５】
そこで、本発明は、使用者が、買物をしながらも、その日の目玉商品，レシピ，広告等を常に見ることができて、買物をスムーズに行うことができる買物カートを提供することを目的とする。
【０００６】
【課題を解決するための手段】
上述の目的を達成するために、本発明に係る買物カートは、買物カゴを搭載するカゴラックと、該カゴラックとハンドルとが付設される主フレームとを、有し；上記ハンドルのグリップ部に対して前下方位置に、レシピ等の用紙が出し入れ自在に収納される透明ケースを付設する。
また、透明ケースの上面が包囲状である。
また、ネスティング状態で、透明ケースが、隣り合うカゴラックと主フレームと横杆のどの部位とも干渉しない位置に付設される。
また、買物カゴを搭載するカゴラックと、該カゴラックとハンドルとが付設される主フレームとを、有し；上記ハンドルのグリップ部に対して前下方位置に、レシピ等の用紙を貼着した板片を付設したものである。
【０００７】
【発明の実施の形態】
以下、実施の形態を示す図面に基づき、本発明を詳説する。
【０００８】
図１は、本発明の買物カートの実施の一形態を示す斜視図である。この買物カートは、買物カゴを搭載するカゴラックＲと、カゴラックＲとハンドル３とが付設される主フレーム１０とを、有し、主フレーム１０の上部に設けられたハンドル３のグリップ部２に対して前下方位置に横杆８を具備し、この横杆８には、レシピ等の用紙１３が出し入れ自在に収納される透明ケース４が付設される。この透明ケース４は、上面が包囲状であり、買物カート１をネスティング状に収納する際に、ネスティング状態で、透明ケース４が、隣り合う買物カート１のカゴラックＲと主フレーム１０と横杆８のどの部位とも干渉しない位置に付設される。カゴラックＲは、上方カゴラック１１と、下方カゴラック１２の上下２段状となっている。
【０００９】
横杆８は、左右の主フレーム１０に連結状に接続される。また、この買物カート１は、主フレーム１０の下部に付設されるキャスター５…と、買物カゴを上下に搭載可能とする上方カゴラック１１，下方カゴラック１２とを、具備する。透明ケース４は、プラスチック製である。用紙１３は、レシピの他に、目玉商品の広告・宣伝、（バーコード付き）クーポン券、スポンサー広告等が掲載されたものである。
【００１０】
図２は、本発明の買物カート１の要部拡大背面図，図３は、図２のＡ−Ａ断面図，図４は透明ケース４の拡大斜視図である。この図２，図３及び図４に示す如く、透明ケース４は、上板が包囲状で、複数枚の葉書サイズの用紙１３を収納可能な大きさ・形状であり、横面に用紙１３を出し入れする開口１５を有する。透明ケース４の下板２１の下面にはケース保持ホルダー６が配設され、この保持ホルダー６が、横杆８に付設される引掛け部７に嵌合する。このとき、透明ケース４は、後方へ向けて水平面から傾斜角θ（２０°〜５０°）の傾きで保持される。開口１５の下側には、係止片１６が配設される。
【００１１】
図５は、本発明の他の実施の形態の透明ケース４を示す要部拡大断面図である。この透明ケース４は、上方に、ケース４の上板２０と下板２１を開閉自在にするヒンジ部９を有する。また、上板２０と下板２１の下方には、上片部１８と下片部１９とが配設され、上片部１８が下片部１９に当接可能である。また、（図示されていない）透明ケース４の両側にも、下片部１９と上片部１８が配設されており、上片部１８が下片部１９に当接可能である。ここで、上片部１８は下片部１９の外側に当接する。この透明ケース４は、図３と同様に、下板２１の下面にはケース保持ホルダー６が配設され、この保持ホルダー６が、横杆８に付設される引掛け部７に嵌合する。図６は、複数の買物カート１…がネスティング状に（重ね合わせられて）収納された状態を示す斜視図である。
【００１２】
図２，図３及び図４のような透明ケース４が付設された買物カート１に於て、用紙１３が、透明ケース４の出し入れ開口１５から、出し入れされ、また、買物カート１の動きに伴って、用紙１３が透明ケース４内部で横へスライドするが、用紙１３の下部が、係止片１６に係止して、透明ケース４から不意に出る（落ちる）ことはない。
【００１３】
また、図５の透明ケース４に於ては、ケース４の下板２１から上板２０を開閉して、用紙１３を出し入れする。閉じた状態では、ケース４は密閉状態になり、用紙１３は透明ケース４から外部に出る（落ちる）ことはない。図２〜図４の透明ケース４及び図５の透明ケース４は、買物カート１の使用者に対して用紙１３の印刷等が見え易いように、共に水平面から傾斜角θ（２０°〜５０°）に傾いて保持される。また、引掛け部７を、横杆８廻りに回動自在に枢着させ、買物カート１の使用者が、透明ケース４を見え易い角度θに変えて設定可能とするのもよい。
【００１４】
なお、透明ケース４は、用紙１３が載置される下箱と、下箱に着脱自在に包囲状に被せられる透明な蓋体と、から成るのもよい。この透明ケース４の場合は、下箱が横杆８に付設されており、上記蓋体を外して、用紙１３を出し入れする。また、図１，図２に於ては、透明ケース４は、正面視右側に付設されているが、正面視中間、あるいは、左側に付設されるのもよい。
【００１５】
図６のように、複数の買物カート１…を、ネスティング状に収納するとき、上方カゴラック１１は、前の買物カート１の透明ケース４と干渉せずにラック収納部１７に入り込み納まる状態になる。
【００１６】
図１〜図６のように、透明ケース４は、容易に製造可能でありながら、買物カート１のグリップ部２の前下方位置に付設されると、店や売り手は、目玉商品の広告・宣伝等の記載された用紙１３を、常に買物カート１の使用者の目につきやすい位置に載置できるので、効率よく情報を与えることができる。なお、引掛け部７を、主フレーム１０のグリップ部２の前下方位置の一部に付設してこれに透明ケース４を付設しても良い。そして、買物カート１の使用者は、売り場を歩行しながらも常に情報を見ることができ、また、レシピを載置すれば、買いたい品物のメモを見ながら売り場を歩行できるので、スムーズに、かつ有効な買物を行うことができる。
【００１７】
雨天時に買物カート１を屋根の無い駐車場に運ぶ場合のように、買物カート１が雨にさらされることがある。ここで、図１〜図４の透明ケース４、及び図５の透明ケース４は、どちらも上板が包囲状の構造なので、内部に雨が入ることがなく、用紙１３が濡れることがない。また、図１〜図４の透明ケース４では、片側の開口１５から、用紙１３を容易に出し入れすることができ、図５の透明ケース４では上板を開閉するだけで、用紙１３を容易に出し入れすることができるので、手間が少なくて済む。
【００１８】
また、図６のように、複数の買物カート１…を、ネスティング状に収納するとき、上方カゴラック１１は、前の買物カート１の透明ケース４と干渉せずにラック収納部１７に納まる。これは、図２に於て、透明ケース４が上方カゴラック１１よりも上部に付設されていることからも明らかである。よって、買物カート１…は、透明ケース４が付設されても、コンパクトに重ねて収納（ネスティング）される。次に、図示省略したが、ハンドル３のグリップ部２の前下方位置に、レシピや広告・宣伝等の用紙１３を貼着した板片を、主フレーム１０又は横杆８に付設するも、好ましい。
【００１９】
【発明の効果】
本発明は上述の如く構成されるので、次に記載する効果を奏する。
【００２０】
（請求項１，４によれば）店や売り手は、目玉商品の広告・宣伝等の記載された用紙１３を、常にカートの使用者の目につき易い位置に載置できるので、効率よく情報を与えることができる。そして、カートの使用者は、売り場を歩行しながらも常に情報を見ることができ、また、レシピを載置すれば、買いたい品物のメモを見ながら売り場を歩行できるので、スムーズに、かつ有効な買物を行うことができる。
【００２１】
（請求項２によれば）雨天時に買物カートを屋根の無い駐車場に運ぶ場合のように、買物カートが雨にさらされる場合でも、透明ケース４の内部に雨が入ることがなく、用紙１３が濡れることがない。
【００２２】
（請求項３によれば）買物カートに透明ケース４を付設しても、複数の買物カートはネスティング状に重ねて収納可能である。
【図面の簡単な説明】
【図１】本発明の買物カートの実施の一形態を示す斜視図である。
【図２】要部拡大背面図である。
【図３】図２のＡ−Ａ断面図である。
【図４】透明ケースの拡大斜視図である。
【図５】本発明の他の実施の形態の透明ケースを示す要部拡大断面図である。
【図６】複数の買物カートがネスティング状に収納された状態を示す斜視図である。
【符号の説明】
２  グリップ部
３  ハンドル
４    透明ケース
８  横杆
１０  主フレーム
１３    用紙
Ｒ  カゴラック
【図１】
2004230961.tif 000003
【図２】
2004230961.tif 000004
【図３】
2004230961.tif 000005
【図４】
2004230961.tif 000006
【図５】
2004230961.tif 000007
【図６】
2004230961.tif 000008